【手続補正書】
【提出日】平成29年3月30日(2017.3.30)
【手続補正１】
【補正対象書類名】特許請求の範囲
【補正対象項目名】全文
【補正方法】変更
【補正の内容】
【特許請求の範囲】
【請求項１】
商品もしくはサービスを販売するためまたは資源ごみを収集するためのシステムであって、
機械可動商品を備え、
前記機械可動商品は、
商品制御システムと、
前記商品制御システムと相互接続され、前記商品制御システムに操作上関連する照明表現ディスプレイと、
前記商品制御システムに操作上関連するセンサアレイであって、前記機械可動商品の周りの周辺エリアをモニタし、消費者と相互作用するように構成されたセンサアレイと、
前記商品制御システムに操作上関連するコンピュータ可読媒体であって、命令を含み、命令は、前記商品制御システムによって実行されると、
前記機械可動商品を配置することであって、前記機械可動商品自体が地理的境界内の第１の指定された地理的場所に自己推進する、配置することと、
前記センサアレイによって、前記機械可動商品の一定の範囲内の消費者の少なくとも１人を監視することと、
前記消費者と前記機械可動商品との間の相互作用が促進可能である前記消費者の場所に向けて自己推進することを前記機械可動商品に行わせることと、
前記照明表現ディスプレイによって光を照らすことであって、前記光は複数の感情状態を視覚的に表現するために事前に定義されたパターンで配列された、光を照らすことと、
前記機械可動商品によって、前記消費者に対する商品もしくはサービスの販売または前記消費者からの資源ごみの収集を達成することと
を含む行為を実行する、コンピュータ可読媒体と、
を含む、システム。
【請求項２】
前記コンピュータ可読媒体が、命令をさらに含み、命令は、前記商品制御システムによって実行されると、
前記機械可動商品が前記消費者のアイデンティティまたは現在の活動を判断できる際は、前記消費者が近づくと同時に、前記機械可動商品に関連付けられたヒューマンマシンインタフェースのペルソナを社会的に適応させること、
を含む行為を実行する、請求項１に記載のシステム。
【請求項３】
機械可動商品を使用して商品もしくはサービスを販売するためまたは資源ごみを収集するための方法であって、
地理的境界内の第１の指定された地理的場所に自己推進するように構成された機械可動商品の少なくとも１つを配置することと
消費者がモバイルデバイスを使用することによって、前記消費者の所まで自己推進し、前記消費者の場所で前記消費者と相互作用するように前記機械可動商品に信号伝達することと、
前記モバイルデバイスとビーコンデバイスとの間のデータ通信リンクを確立することであって、前記ビーコンデバイスが、前記機械可動商品に操作上関連し、前記機械可動商品上に配置され、前記ビーコンデバイスが、前記モバイルデバイスの場所を位置付けるおよび自己推進して前記モバイルデバイスの場所まで移動するという前記機械可動商品の能力を達成する、データ通信リンクを確立することと、
前記機械可動商品によって、前記消費者に対する商品もしくはサービスの販売または前記消費者からの資源ごみの収集を達成することと
を含む、方法。
【請求項４】
前記機械可動商品が前記消費者のアイデンティティまたは現在の活動を判断できる際は、前記消費者が近づくと同時に、前記機械可動商品に関連付けられたヒューマンマシンインタフェースのペルソナを社会的に適応させること
をさらに含む、請求項３に記載の方法。
【請求項５】
消費者が、少なくとも資源ごみ収集を提供するように機能的に適応されている前記機械可動商品に資源ごみを入れる際に、前記消費者への報酬を出すこと
をさらに含む、請求項３に記載の方法。
【請求項６】
許可することが、
モバイルコマース、近距離もしくは同様の無線通信、消費者顔認識または消費者バイオメトリックデータによって、消費者による商品またはサービスの購入を達成すること
をさらに含む、請求項３に記載の方法。
【請求項７】
消費者が在庫からの選択のうちのどれを分配することを望んでいるかを示す前記消費者からの言葉によるコマンドを前記機械可動商品で受け入れること
をさらに含む、請求項３に記載の方法。
【請求項８】
前記機械可動商品に操作上関連する感知センサによって、前記機械可動商品と相互作用している消費者と関連付けられた複数の顔認識データを収集すること
をさらに含む、請求項３に記載の方法。
【請求項９】
前記消費者と関連付けられた前記複数の顔認識データを利用して、前記消費者を特定し、前記消費者と関連付けられるアカウントにデータアクセスすること
をさらに含む、請求項８に記載の方法。
【請求項１０】
複数の感情状態を視覚的に表現するために事前に定義されたパターンで配列された光を照らすこと
をさらに含む、請求項６に記載の方法。
【請求項１１】
機械可動商品を使用して商品もしくはサービスを販売するためまたは資源ごみを収集するための方法であって、
第１の機械可動商品を配置することであって、前記第１の機械可動商品自体が地理的境界内の第１の指定された地理的場所に自己推進する、配置することと、
前記第１の機械可動商品が１人または複数の消費者と相互作用し、商品もしくはサービスの販売または資源ごみの収集を提供することを許可することと、
前記第１の機械可動商品を含む複数の機械可動商品によって、販売、資源ごみ収集または消費者間の社会的相互作用をモニタする消費者による使用ログ（USED BY CONSUMER LOG）および前記複数の機械可動商品の各々に最も近い少なくとも人間のトラフィックをモニタする人間のトラフィックパターンログ（HUMAN TRAFFIC PATTERN LOG）を開発することと、
商品最適化アルゴリズム（MERCHANTRY OPTIMIZATION ALGORITHM）によって、少なくとも前記消費者による使用ログおよび前記人間のトラフィックパターンログに部分的に基づいて、前記複数の機械可動商品の少なくともいくつかのための第２の指定された地理的場所を決定することと、
前記複数の機械可動商品の少なくともいくつかを再配置することであって、前記複数の機械可動商品の少なくともいくつか自体を前記第２の地理的場所まで自己推進し、販売を増大させること及び消費者の資源ごみの要求を満たすことのうちの一つまたは複数を試みて、前記複数の機械可動商品の前記少なくともいくつかを通り過ぎる人間のトラフィック移動を増大させる、再配置することと
を含む、方法。
【請求項１２】
複数の廃棄物品を受け取るように動作可能な少なくとも１つの廃棄物容器と、
前記複数の廃棄物品の１つまたは複数を検出するように動作可能な少なくとも１つのセンサと、
ロボットと通信するスレーブコンピュータを介して前記センサから情報を受信するように動作可能なマスタコンピュータと
を含む、ロボット。
【請求項１３】
少なくとも３動作自由度を有し、前記複数の廃棄物品のうちの１つを前記少なくとも１つの廃棄物容器に移すことが可能な少なくとも１つの連接アームをさらに含む、請求項１２に記載のロボット。
【請求項１４】
タイプ別に廃棄物品を分類することが可能な少なくとも１つのリサイクルユニットと、
１つまたは複数の運搬システム、１つまたは複数のスクレーパシステム、１つまたは複数の空気移動システムおよび１つまたは複数のパドルシステムのうちの１つまたは複数を含む受け取りデバイスと、
１つまたは複数の廃棄物品を受け取る少なくとも１つの廃棄物容器を含む少なくとも１つのロボットとを含み、前記ロボットが、前記少なくとも１つのリサイクルユニットとのインタフェースを介して前記少なくとも１つの廃棄物容器を分配するための開口部をさらに含む、廃棄物収集システム。
【請求項１５】
前記ロボットへの命令を提供するためにスレーブコンピュータと通信するマスタコンピュータをさらに含む、請求項１４に記載の廃棄物収集システム。